(57)【要約】【課題】スルー時あるいは動画撮影時に、画素のキズによる大きな画質低下がない高品質の画像を得ることを可能とする。【解決手段】全画素についてキズを検出し、各画素にキズレベルを設定し、キズレベルが大きい順にソートする（Ｓ１，Ｓ２）。キズレベルがＬｅｖｅｌ１以上の画素のアドレスをキズ情報として無条件に記憶する（Ｓ３〜Ｓ７）。キズレベルがＬｅｖｅｌ１未満で、かつＬｅｖｅｌ２（Ｌｅｖｅｌ２も低いレベル）以上の画素のアドレスについては、スルー時や動画撮影時に間引き対象とならない画像のアドレスを優先して記憶する（Ｓ８〜Ｓ１２）。キズレベルがＬｅｖｅｌ２未満の画素のアドレスについては、スルー時や動画撮影時に間引き対象となると否とに関係なく、キズレベルが大きいものから順に記憶する（Ｓ１３，Ｓ１４）。スルー時あるいは動画撮影時には、記憶されたキズ情報に基づきキズのある画素がデータが確実に補正できる。【選択図】      図２
2007281926.tif 000002
【特許請求の範囲】
【請求項１】
固体撮像素子に存在するキズ画素を検出し、そのキズ画素のアドレスを示すキズ情報を記憶手段に記憶させるキズ情報記憶装置であって、
前記キズ画素が、固体撮像素子の撮像動作に際して常時使用される画素であるか否かを判断する判断手段と、
前記記憶手段に、前記判断手段により常時使用される画素であると判断されたキズ画素のキズ情報を他のキズ画素のキズ情報に優先して記憶させる記憶制御手段と
を備えたことを特徴とする固体撮像素子のキズ情報記憶装置。
【請求項２】
前記記憶制御手段は、前記記憶手段に、各々のキズ画素におけるキズの度合に基づいた記憶順に従いキズ情報を記憶させるとともに、前記キズの度合が第１の段階以下のキズ画素のキズ情報について、前記判断手段により常時使用される画素であると判断されたキズ画素のキズ情報を他のキズ画素のキズ情報に優先して記憶させる
ことを特徴とする請求項１記載の固体撮像素子のキズ情報記憶装置。
【請求項３】
前記記憶制御手段は、前記記憶手段に、キズの度合が第２の段階以下であるキズ画素のキズ情報を、前記判断手段による判断結果に関係なく、前記キズの度合に基づいた記憶順に従い記憶させることを特徴とする請求項１又は２記載の固体撮像素子のキズ情報記憶装置。
【請求項４】
固体撮像素子に存在するキズ画素を検出し、そのキズ画素のアドレスを示すキズ情報を記憶手段に記憶させるキズ情報記憶方法であって、
前記キズ画素が、固体撮像素子の撮像動作に際して常時使用される画素であるか否かを判断する第１の工程と、
前記記憶手段に、常時使用される画素であると判断したキズ画素のキズ情報を他のキズ画素のキズ情報に優先して記憶させる第２の工程と
を含むことを特徴とする固体撮像素子のキズ情報記憶方法。
【請求項５】
前記第２の工程では、前記記憶手段に、各々のキズ画素におけるキズの度合に基づいた記憶順に従いキズ情報を記憶させるとともに、前記キズの度合が第１の段階以下のキズ画素のキズ情報について、前記第１の工程で常時使用される画素であると判断したキズ画素のキズ情報を他のキズ画素のキズ情報に優先して記憶させることを特徴とする請求項４記載の固体撮像素子のキズ情報記憶方法。
【請求項６】
前記第２の工程では、前記記憶手段に、キズの度合が第２の段階以下であるキズ画素のキズ情報を、前記第１の工程での判断結果に関係なく、前記キズの度合に基づいた記憶順に従い記憶させることを特徴とする請求項４又は５記載の固体撮像素子のキズ情報記憶方法。
【請求項７】
固体撮像素子に存在するキズ画素を検出し、そのキズ画素のアドレスを示すキズ情報を記憶手段に記憶させるキズ情報記憶装置が有するコンピュータを、
前記キズ画素が、固体撮像素子の撮像動作に際して常時使用される画素であるか否かを判断する判断手段と、
前記記憶手段に、前記判断手段により常時使用される画素であると判断されたキズ画素のキズ情報を他のキズ画素のキズ情報に優先して記憶させる記憶制御手段と
して機能させるプログラム。
【発明の詳細な説明】
【技術分野】
【０００１】
本発明は、例えばデジタルカメラに用いて好適な固体撮像素子のキズ情報記憶装置、及びキズ情報記憶方法に関するものである。
【背景技術】
【０００２】
従来、ＣＣＤやＣＭＯＳ等の固体撮像素子には複数種類のキズが不可避的に存在している。代表的なキズの種類としては、明時キズ（均一光が当たっている状態で、画素出力信号にあるレベル以上の大小があるもの）、暗時キズ（遮光した状態で、一定時間露光したときに、あるレベル以上の出力信号があるもの）等がある。そのため工場出荷時には、上記キズのある画素を検出し、そのアドレスをキズ情報としてメモリに記憶しておき、撮像時には前記キズ情報に基づいた画素補間等の補正処理が行われている。
【０００３】
一方、近年においては撮像素子の画素数が数メガピクセルに達しており、種々の制約によって前記キズ情報の全てを記憶するだけの記憶容量をシステムに確保することができない現状にある。係る不利を解消する技術として、例えば下記特許文献１には、構造欠陥があること、暗電量の程度、アドレス位置、キズの種類、読み出しタイミングの時期の順に、キズのある画素に優先順位を設け、より優先順位の高い画素のキズ情報をより多く記憶する技術が記載されている。
【０００４】
（例えば下記特許文献１参照）
【特許文献１】特開２００４−１７２９７３号公報
【発明の開示】
【発明が解決しようとする課題】
【０００５】
ところで、例えばデジタルカメラにおいては、一般に、撮像素子がキャプチャー時（撮影時）には全画素取り込みモードで駆動されるが、撮影待機状態のスルー時には画素間引きを行うモニタリングモードで駆動されており、スルー時には使用されない画素が存在している。また、近年のデジタルカメラに一般的に設けられている動画撮影モード（ムービーモード）での撮影時にも、基本的にはスルー時と同様の画素間引きが行われており、その際にも使用されない画素が存在している。
【０００６】
係ることから前述した技術を採用したとしても、キズ情報の記憶に十分な容量が確保できない場合や、記憶容量に比較しキズのある画素が多数存在する撮像素子を使用する場合にあっては、スルー時あるいは動画撮影時に使用される画素にキズのレベルが大きな画素があるにも拘わらず、その画素が補正できなくなる状況が発生しやすく、依然としてスルー時あるいは動画撮影時に撮像される動画像にキズ（白点や黒点）が現れる率が高いという問題があった。
【０００７】
本発明は、かかる従来の課題に鑑みてなされたものであり、スルー時あるいは動画撮影時に、画素のキズによる大きな画質低下がない高品質の画像を得ることが可能となる固体撮像素子のキズ情報記憶装置、及びキズ情報記憶方法と、それらの実現に使用されるプログラムを提供することを目的とする。
【課題を解決するための手段】
【０００８】
前記課題を解決するため請求項１の発明にあっては、固体撮像素子に存在するキズ画素を検出し、そのキズ画素のアドレスを示すキズ情報を記憶手段に記憶させるキズ情報記憶装置であって、前記キズ画素が、固体撮像素子の撮像動作に際して常時使用される画素であるか否かを判断する判断手段と、前記記憶手段に、前記判断手段により常時使用される画素であると判断されたキズ画素のキズ情報を他のキズ画素のキズ情報に優先して記憶させる記憶制御手段とを備えたものとした。
【０００９】
かかる構成においては、キズ情報の記憶に使用可能な記憶容量に比較してキズのある画素の数が遙かに多い場合であっても、画素間引きを伴う撮像動作時に使用される画素のうちで、キズの度合が大きな画素については、そのキズ情報を確実に記憶することができる。
【００１０】
また、請求項２の発明にあっては、前記記憶制御手段は、前記記憶手段に、各々のキズ画素におけるキズの度合に基づいた記憶順に従いキズ情報を記憶させるとともに、前記キズの度合が第１の段階以下のキズ画素のキズ情報について、前記判断手段により常時使用される画素であると判断されたキズ画素のキズ情報を他のキズ画素のキズ情報に優先して記憶させるものとした。
【００１１】
また、請求項３の発明にあっては、前記記憶制御手段は、前記記憶手段に、キズの度合が第２の段階以下であるキズ画素のキズ情報を、前記判断手段による判断結果に関係なく、前記キズの度合に基づいた記憶順に従い記憶させるものとした。
【００１２】
また、請求項４の発明にあっては、固体撮像素子に存在するキズ画素を検出し、そのキズ画素のアドレスを示すキズ情報を記憶手段に記憶させるキズ情報記憶方法であって、前記キズ画素が、固体撮像素子の撮像動作に際して常時使用される画素であるか否かを判断する第１の工程と、前記記憶手段に、常時使用される画素であると判断したキズ画素のキズ情報を他のキズ画素のキズ情報に優先して記憶させる第２の工程とを含む方法とした。
【００１３】
かかる方法によれば、キズ情報の記憶に使用可能な記憶容量に比較してキズのある画素の数が遙かに多い場合であっても、画素間引きを伴う撮像動作時に使用される画素のうちで、キズの度合が大きな画素については、そのキズ情報を確実に記憶することができる。
【００１４】
また、請求項５の発明にあっては、前記第２の工程では、前記記憶手段に、各々のキズ画素におけるキズの度合に基づいた記憶順に従いキズ情報を記憶させるとともに、前記キズの度合が第１の段階以下のキズ画素のキズ情報について、前記第１の工程で常時使用される画素であると判断したキズ画素のキズ情報を他のキズ画素のキズ情報に優先して記憶させる方法とした。
【００１５】
また、請求項６の発明にあっては、前記第２の工程では、前記記憶手段に、キズの度合が第２の段階以下であるキズ画素のキズ情報を、前記第１の工程での判断結果に関係なく、前記キズの度合に基づいた記憶順に従い記憶させる方法とした。
【００１６】
また、請求項７の発明にあっては、固体撮像素子に存在するキズ画素を検出し、そのキズ画素のアドレスを示すキズ情報を記憶手段に記憶させるキズ情報記憶装置が有するコンピュータを、前記キズ画素が、固体撮像素子の撮像動作に際して常時使用される画素であるか否かを判断する判断手段と、前記記憶手段に、前記判断手段により常時使用される画素であると判断されたキズ画素のキズ情報を他のキズ画素のキズ情報に優先して記憶させる記憶制御手段として機能させるプログラムとした。
【発明の効果】
【００１７】
以上のように本発明によれば、キズ情報の記憶に使用可能な記憶容量に比較してキズのある画素の数が遙かに多い場合であっても、画素間引きを伴う撮像動作時に使用される画素のうちで、キズの度合が大きな画素については、そのキズ情報を確実に記憶することができるようにした。よって、スルー時あるいはムービー撮影時に、画素のキズによる大きな画質低下がない高品質の画像を得ることが可能となる。
【発明を実施するための最良の形態】
【００１８】
以下、本発明の一実施の形態を図にしたがって説明する。図１は、本発明に係るデジタルカメラ１の電気的構成を示すブロック図である。このデジタルカメラ１は、通常の静止画機能に加え動画撮影機能を有するものであって、以下の構成を備えている。
【００１９】
すなわちデジタルカメラ１はシステムの全体の制御を行うＣＰＵ２と、撮像レンズ３によって感光部に結像された被写体の光学像に応じたアナログの撮像信号を出力する固体撮像素子であるＣＣＤ４を備えている。ＣＣＤ４はＴＧ（Timing Generator）５により所定の周期で走査駆動されて、結像された被写体の光学像を画素毎に光電変換し、光の強さに応じた画素信号からなるアナログの撮像信号をアナログ処理部６に出力する。また、ＣＣＤ４は、ＣＰＵ２から送られるシャッターパルスに応じ電荷蓄積時間を変化されることにより電子シャッターとしても機能する。
【００２０】
前記アナログ処理部６は、ＣＣＤ４から入力した撮像信号に含まれるノイズを除去するＣＤＳ（Correlated Double Sampling：相関二重サンプリング回路）と、ＣＤＳを経た撮像信号を増幅するアナログアンプであるＡＧＣ（ゲイン調整アンプ）と、ＡＧＣで増幅され調整されたアナログの撮像信号をデジタル信号に変換するＡＤ（Ａ／Ｄ変換器）とからなり、デジタルデータ化した撮像信号をＣＰＵ２に出力する。
【００２１】
ＣＰＵ２は、画像データの圧縮・伸張を含む各種のデジタル信号処理機能を確保されており、アナログ処理部６から出力された撮像信号を、アドレス・データバス７を介して順次ＤＲＡＭ８に送り画素データとして蓄積する。また、ＤＲＡＭ８に蓄積された画素データを液晶モニタ９の解像度（画素数）に応じて画素間引きしながら、所定の画像処理ブロック単位で読み出し、Ｒ，Ｇ，Ｂ毎のデジタルの画像データを生成し、輝度信号及び色差信号からなるＹＵＶデータへ変換し、さらに変換後のＹＵＶデータに基づきビデオ信号を生成して液晶モニタ９へ送る。
【００２２】
液晶モニタ９は、記録モードが設定されているときには、所定のフレーム周期で更新される被写体画像すなわちスルー画像等を表示する。また、操作補助用として各種のメニュー画面や、記録画像サイズの設定用等の種々の設定画面、メッセージ等を表示する。
【００２３】
静止画モードでの撮影時には、ＤＲＡＭ８に蓄積された全画素データについて前述した画像処理ブロック単位のＹＵＶデータが、ＣＰＵ２によって所定の方式で圧縮符号化された後、その画像データが静止画モードでは内蔵フラッシュメモリ１０や、カードインターフェース１１を介して着脱自在な各種のメモリーカード１２に静止画ファイルとして記録される。また、動画モードでの撮影時には、ＤＲＡＭ８に蓄積された全画素データが、ＣＰＵ２によって、その時点で設定されている動画像の画素数に応じていったん画素間引きされた後、間引き後の画素データに基づく画像処理ブロック単位のＹＵＶデータが、所定の方式で圧縮符号化された後、フレーム毎に順次内蔵フラッシュメモリ１０や、カードインターフェース１１を介して着脱自在な各種のメモリーカード１２に送られ、最終的には所定の動画記録方式（例えばＭｏｔｉｏｎ−ＪＰＥＧやＭＰＥＧ）の動画ファイルとして記録される。
【００２４】
また、再生モードにおいては、上記のように記録された静止画像や動画像のデータが、ＣＰＵ２によって伸張復号化された後、前記液晶モニタ９において再生される。
【００２５】
キー入力部１３は、電源キー、シャターキー、記録モードと再生モードとの動作切り替えに使用される動作モードキー、静止画、動画の別を含む各種の撮影モードの切り替えに使用される撮影モードキー等のスイッチ類により構成され、ユーザーによるキー操作に応じた操作信号をＣＰＵ２に送る。例えば記録モードでシャッターキーが押された撮影操作時には、それを示すトリガー信号をＣＰＵ２に出力する。
【００２６】
前記内蔵フラッシュメモリ１０には、前述した圧縮後の画像データを記憶するための画像記憶領域とは別にプログラム領域が確保されている。プログラム領域には、ＣＰＵ２に画像データの圧縮・伸張や、色調整処理を含む各種の画像信号処理や、ＡＥ制御等を行わせるための各種プログラムと、それらのプログラムに基づく動作に必要な各種データが記憶されている。特に本実施の形態においては、再生モードが設定されているとき、必要に応じてＣＰＵ２に後述する動作を行わせるためのプログラム、及び撮影動作に際してＣＰＵ２に後述する処理を行わせることにより、ＣＰＵ２を本発明の判断手段、記憶制御手段として機能させるためのプログラムが記憶されている。
【００２７】
また、内蔵フラッシュメモリ１０は本発明の記憶手段であって、前記ＣＣＤ４における明時キズや暗時キズ等が存在する画像のアドレス、つまりキズ情報が上記の各種プログラムと共に記憶されている。
【００２８】
次に、以上の構成からなるデジタルカメラ１の本発明に係る動作について説明する。図２は、デジタルカメラ１の出荷前の所定の段階で、例えばデジタルカメラ１に予め用意されている所定の検査モードが設定されることによりＣＰＵ２が実行するキズ検出・記憶処理の手順を示したフローチャートである。
【００２９】
ＣＰＵ２は、例えば上記検査モードの設定とともに動作を開始し、まずキズ検出用全画素取り込みを実施する（ステップＳ１）。係る処理は、明時キズや暗時キズ等の予め決められてるキズの種類に応じて露光方法を変えながら、ＣＣＤ４を駆動して全画素の撮像信号を取り込む処理であり、取り込んだ撮像信号はデジタルの撮像データとしてＤＲＡＭ８に記憶する。
【００３０】
次に、取り込んだ撮像データについて画素毎にキズレベル（キズの度合）を取得するとともに、キズレベルが大きい順に画素（具体的には画素のアドレスデータ）をソートする（ステップＳ２）。なお、本実施の形態では、上記画素毎のキズレベルとして、キズの種類を横断する統一的なキズレベル、すなわち製品としての使用時におけるキズ補正の必要度（優先度）に応じたキズレベルを取得する。
【００３１】
引き続き、全画素の各々について、そのキズレベル（Ｖｔｈ）が予め決められている第１の比較レベル（Ｌｅｖｅｌ１）以上であるか否かを順に確認し、第１の比較レベル（Ｌｅｖｅｌ１）以上であれば（ステップＳ３でＹＥＳ）、その画素のアドレスを、内蔵フラッシュメモリ１０の所定領域にキズ情報として記憶する（ステップＳ４）。そして、上記比較、及びアドレスの記憶を全画素が終了するまでの間実行する（ステップＳ７でＮＯ）。つまり、キズレベルが第１の比較レベル（Ｌｅｖｅｌ１）以上の画素のアドレスを無条件に記憶する。
【００３２】
ただし、その間に記憶メモリフル、つまり内蔵フラッシュメモリ１０の所定領域に空きがなくなった場合には（ステップＳ５でＹＥＳ）、ＣＣＤ４自体の不良、又は他の不良（例えばシステムの撮像系の不良）が存在すると判断し、直ちにキズ検出・記憶処理を中止して所定の警告処理、例えば液晶モニタ９における異常メッセージの表示処理等に移行する（ステップＳ６）。
【００３３】
次に、記憶メモリフルとなることなく、前述した第１の比較レベル（Ｌｅｖｅｌ１）以上の画素のアドレスの記憶が終了したら（ステップＳ７でＹＥＳ）、キズレベルが第１の比較レベル（Ｌｅｖｅｌ１）未満である確認対象画素について、各々のキズレベルが、第１の比較レベル（Ｌｅｖｅｌ１）よりもレベルが低い予め決められている第２の比較レベル（Ｌｅｖｅｌ２）以上であるか否かを順に確認する（ステップＳ８）。
【００３４】
ここで、第２の比較レベル（Ｌｅｖｅｌ２）以上であったときには（ステップＳ８でＹＥＳ）、さらに当該画素（のアドレス）がスルー時や動画撮影時において使用される画像（のアドレス）であるか否かを確認し、使用される画像があれば（ステップＳ９でＹＥＳ）、その画素のアドレスを、内蔵フラッシュメモリ１０の所定領域にキズ情報としてさらに記憶する（ステップＳ１０）。そして、上記比較、及びアドレスの記憶を前記確認対象画素の全てについて終了するまでの間実行する（ステップＳ１２でＮＯ）。つまり、キズレベルが第１の比較レベル（Ｌｅｖｅｌ１）未満で、かつ第２の比較レベル（Ｌｅｖｅｌ２）以上の画素のアドレスについて、スルー時や動画撮影時において使用される（間引き対象とならない）画像のアドレスを優先して記憶する。
【００３５】
ただし、その間に、記憶メモリフルとなった場合には（ステップＳ１１でＹＥＳ）、前述したステップＳ３，Ｓ４の処理を繰り返していたときと同様、ＣＣＤ４自体の不良、又は他の不良が存在すると判断し、直ちにキズ検出・記憶処理を中止して所定の警告処理に移行する（ステップＳ６）。
【００３６】
引き続き、記憶メモリフルとなることなく、キズレベルが第２の比較レベル（Ｌｅｖｅｌ２）以上で、かつスルー時や動画撮影時において使用される画像のアドレスの記憶が終了したら（ステップＳ１２でＹＥＳ）、それ以後、キズレベルが第１の比較レベル（Ｌｅｖｅｌ１）未満である画素について、各画素のアドレスをキズレベルが大きいものから順に、内蔵フラッシュメモリ１０の所定領域にキズ情報としてさらに記憶する（ステップＳ１３）。なお、係る処理ではステップＳ９で記憶済みのアドレスについては、その記憶を処理スキップするか、又は上書き処理する。つまり、キズレベルが第２の比較レベル（Ｌｅｖｅｌ２）未満の画素のアドレスについて、スルー時や動画撮影時において使用されると否とに関係なく、キズレベルが大きいものから順に記憶する。
【００３７】
以後、記憶メモリフルとなるまでステップＳ１３を繰り返し（ステップＳ１４でＮＯ）、その間に記憶メモリフルとなったら（ステップＳ１４でＹＥＳ）、その時点でキズ検出・記憶処理を終了する。
【００３８】
そして、デジタルカメラ１においては、製品として使用されているときの撮像時、つまり静止画モードや動画モードでのＣＣＤ４の駆動時には、ＣＰＵ２が上述したキズ検出・記憶処理により内蔵フラッシュメモリ１０に記憶したキズ情報に基づき、明時キズや暗時キズ等が存在する画像の値（画素データ）を、例えば周辺画素の値を用いた画素補間等による補正処理によって補正する。
【００３９】
ここで、上述したキズ検出・記憶処理においては、前述したようにキズレベルが第１の比較レベル（Ｌｅｖｅｌ１）未満で、かつ第２の比較レベル（Ｌｅｖｅｌ２）以上の画素のアドレスについては、スルー時や動画撮影時において使用される画像のアドレスが優先して記憶される。そのため、スルー時や動画撮影時に使用される画素に、キズレベルがある程度大きな画素、本実施の形態では第２の比較レベル（Ｌｅｖｅｌ２）以上の画素がある場合には、そのキズ情報を確実に記憶することができる。
【００４０】
つまり、内蔵フラッシュメモリ１０に確保可能なキズ情報の記憶容量に比較して、キズのある画素の数が遙かに多い場合であっても、スルー時や動画撮影時に使用される画素に、キズレベルがある程度大きな画素があれば、その画素の値を内蔵フラッシュメモリ１０に記憶されているキズ情報に基づいて確実に補正することができる。
【００４１】
よって、スルー時あるいはムービー撮影時には、画素のキズ（白点や黒点）による大きな画質低下がない高品質の画像を得ることができる。
【００４２】
なお、本実施の形態の前述したキズ検出・記憶処理では、キズレベルが第１の比較レベル（Ｌｅｖｅｌ１）未満で、かつ第２の比較レベル（Ｌｅｖｅｌ２）以上の画素のアドレスの記憶に先立ち、キズレベルが第１の比較レベル（Ｌｅｖｅｌ１）以上の画素のアドレスを予め無条件に記憶するようにしたが、その処理（ステップＳ３〜ステップＳ７）は廃止することができる。つまり、キズレベルがある比較レベル以上の全画素のアドレスについて、スルー時や動画撮影時において使用される画像のアドレスを優先して記憶するようにしてもよい。その場合においても、上記ある比較レベルを、内蔵フラッシュメモリ１０に確保可能なキズ情報の記憶容量と、キズのある画素の数として想定される画素数とを勘案して適宜設定することにより、本実施の形態と同様の効果を得ることができる。
【００４３】
また、キズレベルが第２の比較レベル（Ｌｅｖｅｌ２）未満の画素のアドレスについては、スルー時や動画撮影時において使用されると否とに関係なく、キズレベルが大きいものから順に記憶したが、内蔵フラッシュメモリ１０に確保可能なキズ情報の記憶容量と、キズのある画素の数として想定される画素数との関係にもよるが、場合によっては、キズレベルが第２の比較レベル（Ｌｅｖｅｌ２）未満の全ての画素について、スルー時や動画撮影時において使用される画像のアドレスを優先して記憶するようにしてもよい。
【００４４】
さらに、例えばＣＣＤ４の全画素数に比較し、スルー時や動画撮影時において使用される画素数が遙かに少ない場合には、全てのキズレベルの画素について、スルー時や動画撮影時において使用される画像のアドレスを優先して記憶するようにしてもよい。
【００４５】
また、画素毎のキズレベルとして、キズの種類を横断する統一的なキズレベルを設定し、キズ検出・記憶処理を行うようにしたが、例えば各画素にキズの種類毎にキズレベルを設定し、前述したステップＳ３〜ステップＳ７の処理、ステップＳ８〜ステップＳ１２の処理、ステップＳ１３，Ｓ１４の処理からなる３段階の処理の各々をキズの種類毎に行うようにしても構わない。
【００４６】
また、本実施の形態では、スルー時や動画撮影時における画素間引きが、ＣＣＤ４から全画素の画素データが取り込まれた後、液晶モニタ９の解像度やその時点で設定されている動画像の画素数に応じて行われるものについて説明したが、本発明は、スルー時や動画撮影時における画素間引きが、ＣＣＤ４の駆動モードを変更することによって、ＣＣＤ４から画素データが取り込まれる時点（画素毎の蓄積電荷の出力時点）で行われるものにも適用可能である。
【００４７】
また、ＣＣＤ４のキズ情報をデジタルカメラ１の出荷前の所定の段階で内蔵フラッシュメモリ１０の所定領域に記憶するようにしたが、これに限らず、ＣＣＤ４のキズ情報は、不揮発性の記憶媒体であれば内蔵フラッシュメモリ１０以外の他の記憶媒体に記憶してもよい。また、前記キズ検出・記憶処理は製品の出荷後に行われてもよい。例えばデジタルカメラ１メインテナンス時に必要に応じて行われてもよく、さらには、前記内蔵フラッシュメモリ１０にファームウェアとして記憶される制御プログラムに、ＣＰＵ２に前記キズ検出・記憶処理を行わせるためのプログラムを含めておき、ファームウェアのバージョンアップを行った際に、自動的に前記キズ情報が内蔵フラッシュメモリ１０等に記憶されるようにしても構わない。
【００４８】
また、本発明は、固体撮像素子としてＣＣＤを有するデジタルカメラ以外にも、ＣＭＯＳ等のように不可避的にキズが存在するの他の固体撮像素子を有するデジタルカメラにも適用可能である。
【００４９】
また、以上の説明においては、本発明を静止画撮影機能と動画撮影機能とを有するデジタルカメラに適用した場合について説明したが、これに限らず本発明はデジタルビデオカメラ、カメラ付き携帯電話、カメラ付きＰＤＡ等の他の撮像装置にも適用することができる。また、静止画撮影機能のみ、あるいは動画撮影機能のみを有するもの（スルー画像の表示機能の有無は問わない。）にも適用することができる。
【００５０】
また、本発明に係る前述したキズ画素の検出、及びキズ画素のアドレス情報の記憶処理は、デジタルカメラ等の撮像装置に組み込まれた状態の固体撮像素子に限らず、撮像装置に組み込まれる以前の固体撮像素子を対象として行ってもよい。すなわち本発明のキズ情報記憶装置は、必ずしも撮像装置に組み込まれたものである必要はない。
【００５１】
さらに、本発明をデジタルカメラ等に接続可能な装置に適用し、その装置が有するコンピュータ（ＣＰＵ）に前述したキズ検出・記憶処理を行わせるようにしてもよう。
【００５２】
また、キズ画素のアドレス情報が記憶される記憶媒体については、それが固体撮像素子と一体化されたものでもよく、また、それが固体撮像素子と共に撮像装置に組み込まれることがないものであっても構わない。
【図面の簡単な説明】
【００５３】
【図１】本発明に係るデジタルカメラのブロック図である。
【図２】ＣＰＵ２が実行するキズ検出・記憶処理の手順を示したフローチャートである。
【符号の説明】
【００５４】
１    デジタルカメラ
２    ＣＰＵ
４    ＣＣＤ
１０    内蔵フラッシュメモリ
【図１】
2007281926.tif 000003
【図２】
2007281926.tif 000004